(57)【要約】      （修正有）【課題】需要者と供給者との間での取引を仲介する取引仲介サーバ、取引仲介システム、取引仲介方法、プログラム及び記憶媒体を提供する。【解決手段】取引仲介システム１において、取引仲介サーバ１０は、提供者端末から、カスタム用の部品がバイクに装着された際の外観上の状態に関する情報を含む部品装着情報及び部品を特定する部品特定情報を受信して情報記憶部に記録するとともに、供給者端末から、部品供給者が供給可能な供給部品を特定する供給部品情報を受信して情報記憶部に記録する受信部と、部品特定情報及び供給部品情報に基づいて部品供給者を部品装着情報に紐付ける情報処理部と、少なくとも部品装着情報を公開する公開部とを備える。【選択図】図１
2020166451.tif 000002
【特許請求の範囲】
【請求項１】
移動体用の部品の取引を仲介する取引仲介サーバであって、
情報提供者が使用する提供者端末から、移動体用の部品が前記移動体に装着された際の外観上の状態に関する情報を含む部品装着情報及び前記部品を特定する部品特定情報を受信して情報記憶部に記録するとともに、部品供給者が使用する供給者端末から、前記部品供給者が供給可能な供給部品を特定する供給部品情報を受信して前記情報記憶部に記録する受信部と、
前記部品特定情報及び前記供給部品情報に基づいて前記部品供給者を前記部品装着情報に紐付ける情報処理部と、
少なくとも前記部品装着情報を公開する公開部と、
を備える取引仲介サーバ。
【請求項２】
前記公開部は、前記部品装着情報に対応付けて前記部品特定情報をさらに公開し、
需要者が使用する需要者端末から、前記部品特定情報により特定される前記部品の発注を受信し、前記供給者端末に前記発注を送信する発注部をさらに備える、請求項１に記載の取引仲介サーバ。
【請求項３】
前記発注部は、前記部品の発注を受信することに応じて、前記部品装着情報を提供した前記情報提供者に対する対価を決定する、請求項２に記載の取引仲介サーバ。
【請求項４】
前記発注部は、前記部品特定情報の内容に応じて前記対価を決定する、請求項３に記載の取引仲介サーバ。
【請求項５】
前記部品装着情報及び前記部品特定情報の少なくとも一方に含まれる移動体用の部品を特定して、該部品の供給を要求するリクエストを前記供給者端末に送信する要求部をさらに備える、請求項１から４のいずれか一項に記載の取引仲介サーバ。
【請求項６】
前記部品特定情報は、前記部品が装着される移動体を特定する情報をさらに含み、
前記供給部品情報は、前記供給可能な部品が装着可能な移動体を特定する情報をさらに含む、請求項１から５のいずれか一項に記載の取引仲介サーバ。
【請求項７】
前記部品が装着される移動体を特定する情報は、移動体の製造年に関する情報を含み、
前記供給可能な部品が装着可能な移動体を特定する情報は、移動体の製造年に関する情報を含む、請求項６に記載の取引仲介サーバ。
【請求項８】
前記受信部は、さらに、質問投稿者が使用する投稿者端末から、前記部品装着情報に基づいて前記質問投稿者が投稿する質問を受信し、該質問を前記部品装着情報に含めて前記情報記憶部に記録するとともに、前記提供者端末から、前記質問に対して前記情報提供者が提供する回答を受信し、該回答を前記部品装着情報に含めて前記情報記憶部に記録する、請求項１から７のいずれか一項に記載の取引仲介サーバ。
【請求項９】
前記供給部品情報は、前記供給可能な部品の価格を含み、
前記情報処理部は、前記供給部品情報に基づいて前記部品供給者をランキング付けして前記部品装着情報に紐付ける、請求項１から８のいずれか一項に記載の取引仲介サーバ。
【請求項１０】
請求項１から９のいずれか一項に記載の取引仲介サーバと、
前記取引仲介サーバに、前記部品装着情報及び前記部品特定情報を送信する前記提供者端末と、
前記取引仲介サーバに、前記供給部品情報を送信する前記供給者端末と、
を備える取引仲介システム。
【請求項１１】
前記取引仲介サーバに、前記部品装着情報に対応付けて公開される前記部品特定情報により特定される前記部品の発注を送信する需要者端末をさらに備える、請求項１０に記載の取引仲介システム。
【請求項１２】
移動体用の部品の取引を仲介する取引仲介方法であって、
情報提供者が使用する提供者端末から、移動体用の部品が前記移動体に装着された際の外観上の状態に関する情報を含む部品装着情報及び前記部品を特定する部品特定情報を受信して情報記憶部に記録する段階と、
部品供給者が使用する供給者端末から、前記部品供給者が供給可能な供給部品を特定する供給部品情報を受信して前記情報記憶部に記録する段階と、
前記部品特定情報及び前記供給部品情報に基づいて前記部品供給者を前記部品装着情報に紐付ける段階と、
少なくとも前記部品装着情報を公開する段階と、
を備える取引仲介方法。
【請求項１３】
情報提供者が使用する提供者端末から、移動体用の部品が前記移動体に装着された際の外観上の状態に関する情報を含む部品装着情報及び前記部品を特定する部品特定情報を受信して情報記憶部に記録する手順と、
部品供給者が使用する供給者端末から、前記部品供給者が供給可能な供給部品を特定する供給部品情報を受信して前記情報記憶部に記録する手順と、
前記部品特定情報及び前記供給部品情報に基づいて前記部品供給者を前記部品装着情報に紐付ける手順と、
少なくとも前記部品装着情報を公開する手順と、
をコンピュータに実行させるプログラム。
【請求項１４】
請求項１３に記載のプログラムを格納する記憶媒体。
【発明の詳細な説明】
【技術分野】
【０００１】
本発明は、取引仲介サーバ、取引仲介システム、取引仲介方法、プログラム、及び記憶媒体に関する。
【背景技術】
【０００２】
自動二輪車（単に、バイクと呼ぶ）の愛好家のなかには、自己の所有するバイクにカスタムパーツを装着してカスタマイズする者がいる。一方で、他人のカスタムバイクを参考に、自己の所有するバイクをカスタマイズすることを望む者もいる。しかし、そのカスタムパーツ（カスタム用の部品又は単に部品とも呼ぶ）をどのようにしてバイクに装着したのか、その詳細を知ることができず、カスタムパーツの購入を決断できないことが多い。ここで、特許文献１には、顧客の特性に応じてサプライヤが供給する車両の部品を検索し、提示するコンピュータシステムが開示されている。
特許文献１  特開２００３−２４２１５７号公報
【発明の概要】
【発明が解決しようとする課題】
【０００３】
しかしながら、当該システムは、他人が実際に部品を車両に装着した際の外観上の状態に基づいて部品を選択するものではなかった。
【課題を解決するための手段】
【０００４】
本発明の第１の態様においては、移動体用の部品の取引を仲介する取引仲介サーバであって、情報提供者が使用する提供者端末から、移動体用の部品が移動体に装着された際の外観上の状態に関する情報を含む部品装着情報及び部品を特定する部品特定情報を受信して情報記憶部に記録するとともに、部品供給者が使用する供給者端末から、部品供給者が供給可能な供給部品を特定する供給部品情報を受信して情報記憶部に記録する受信部と、部品特定情報及び供給部品情報に基づいて部品供給者を部品装着情報に紐付ける情報処理部と、少なくとも部品装着情報を公開する公開部と、を備える取引仲介サーバが提供される。
【０００５】
本発明の第２の態様においては、第１の態様の取引仲介サーバと、取引仲介サーバに、部品装着情報及び部品特定情報を送信する提供者端末と、取引仲介サーバに、供給部品情報を送信する供給者端末と、を備える取引仲介システムが提供される。
【０００６】
本発明の第３の態様においては、移動体用の部品の取引を仲介する取引仲介方法であって、情報提供者が使用する提供者端末から、移動体用の部品が移動体に装着された際の外観上の状態に関する情報を含む部品装着情報及び部品を特定する部品特定情報を受信して情報記憶部に記録する段階と、部品供給者が使用する供給者端末から、部品供給者が供給可能な供給部品を特定する供給部品情報を受信して情報記憶部に記録する段階と、部品特定情報及び供給部品情報に基づいて部品供給者を部品装着情報に紐付ける段階と、少なくとも部品装着情報を公開する段階と、を備える取引仲介方法が提供される。
【０００７】
本発明の第４の態様においては、情報提供者が使用する提供者端末から、移動体用の部品が移動体に装着された際の外観上の状態に関する情報を含む部品装着情報及び部品を特定する部品特定情報を受信して情報記憶部に記録する手順と、部品供給者が使用する供給者端末から、部品供給者が供給可能な供給部品を特定する供給部品情報を受信して情報記憶部に記録する手順と、部品特定情報及び供給部品情報に基づいて部品供給者を部品装着情報に紐付ける手順と、少なくとも部品装着情報を公開する手順と、をコンピュータに実行させるプログラムが提供される。
【０００８】
本発明の第５の態様においては、第４の態様のプログラムを格納する記憶媒体が提供される。
【０００９】
なお、上記の発明の概要は、本発明の特徴の全てを列挙したものではない。また、これらの特徴群のサブコンビネーションもまた、発明となりうる。
【図面の簡単な説明】
【００１０】
【図１】一実施形態に係る取引仲介システムの構成を示す。
【図２】取引仲介サーバの機能構成を示す。
【図３】取引仲介システムにおける取引仲介方法の実行フロー（部品装着情報の公開のフロー）を示す。
【図４】部品装着情報及び部品特定情報を表示したＥＣサイトの公開画面の一例を示す。
【図５】質問投稿者が投稿したカスタマイズに関する質問を追加して部品特定情報を表示したＥＣサイトの公開画面の一例を示す。
【図６】情報提供者が投稿した回答を追加して部品特定情報を表示したＥＣサイトの公開画面の一例を示す。
【図７】供給部品の価格ランキングを追加して部品特定情報を表示したＥＣサイトの公開画面の一例を示す。
【図８】取引仲介システムにおける取引仲介方法の実行フロー（部品の発注のフロー）を示す。
【図９】ＥＣサイトの公開画面の一例（バイクのタイプを選択する画面）を示す。
【図１０】ＥＣサイトの公開画面の一例（車種を選択する画面）を示す。
【図１１】ＥＣサイトの公開画面の一例（車種を選択する画面）を示す。
【図１２】ＥＣサイトの公開画面の一例（部品装着情報及び部品特定情報を表示する画面）を示す。
【図１３】本実施形態に係るコンピュータの構成の一例を示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１に、一実施形態に係る取引仲介システム１の構成を示す。取引仲介システム１は、ネットワーク９９上で、移動体のカスタマイズに関する情報を収集し、その情報をカスタム用の部品を供給する部品供給者を紐付けて公開するとともに、部品を購入する需要者と部品を供給する部品供給者との間での取引を仲介する取引仲介サービスを運営するためのネットワークシステムである。ここで、移動体は、本実施形態ではバイクとするが、これに限らず自動車、自転車等であってもよい。取引仲介システム１は、ネットワーク９９を介して相互に通信可能に接続された取引仲介サーバ１０、需要者端末２１、提供者端末２２、投稿者端末２３、及び供給者端末２４を備える。
【００１３】
なお、ネットワーク９９は、一例としてインターネットとするが、これに限らず、取引仲介サーバ１０と各端末との間で相互に通信することができれば、ローカルエリアネットワーク、電話回線等、任意の通信網を採用してもよいし、複数の通信網が混在したネットワークとしてもよい。
【００１４】
取引仲介サーバ１０は、取引仲介サービスを運営する運営者が使用するパーソナルコンピュータ等のコンピュータ装置により実装される。なお、取引仲介サーバ１０は、クラウド（複数の分散サーバ或いは複数のサブシステム等）により実装されてもよい。取引仲介サーバ１０は、中央処理装置（ＣＰＵ（不図示））、通信装置（不図示）、及び情報記憶部１９を有する。
【００１５】
ＣＰＵは、サーバ専用プログラムを実行することにより、取引仲介サーバ１０に取引仲介サービスを提供するサーバ機能を発現させる。取引仲介サーバ１０の機能構成については後述する。なお、サーバ専用プログラムは、例えば、ＲＯＭ（不図示）に記憶され、それをＣＰＵが読み出す、或いはＣＤ−ＲＯＭ等の記憶媒体に記憶され、それをＣＰＵが読み取り装置（不図示）を用いて読み出してＲＡＭに展開することで起動される。
【００１６】
通信装置は、ネットワーク９９を介して需要者端末２１、提供者端末２２、投稿者端末２３、及び供給者端末２４と相互に通信する手段であり、一例としてＴＣＰ／ＩＰ等のプロトコルを利用して通信することができる。
【００１７】
情報記憶部１９は、後述する部品装着情報、部品特定情報、供給部品情報等の各種情報を記憶するハードディスクドライブ（ＨＤＤ）等の記憶装置を有する。本実施形態では、情報記憶部１９は、例えばＳＣＳＩ、ＳＡＴＡ等のインタフェースを介して取引仲介サーバ１０に接続されている。なお、ネットワーク９９上に通信可能に接続された記憶装置を情報記憶部１９としてもよい。
【００１８】
運営者は、取引仲介サーバ１０により、ネットワーク９９上でＥＣサイトを運営することで取引仲介サービスをネットワーク９９上のユーザに提供する。取引仲介サーバ１０は、ネットワーク９９上のユーザ（すなわち、情報提供者）から部品装着情報、部品特定情報等、バイクのカスタマイズに関する情報を収集し、別のユーザ（すなわち、質問提供者）からそのカスタマイズに関する質問及びそれに対する情報提供者の回答を収集し、さらに別のユーザ（すなわち、部品供給者）から供給部品情報を収集し、カスタマイズに関する情報に部品供給者を紐付けてＥＣサイト上に公開するとともに、さらに別のユーザ（すなわち、需要者）からの部品の注文を部品供給者に送信することで、カスタム用の部品の取引を仲介する取引仲介サービスを提供する。
【００１９】
需要者端末２１は、取引仲介サービスを利用してカスタム用の部品を購入するユーザ（すなわち、需要者）が使用するスマートフォン、タブレットコンピュータ等のモバイル端末或いはパーソナルコンピュータ等のコンピュータ端末である。需要者端末２１は、表示デバイス、入力デバイス、及び通信デバイス（いずれも不図示）を有する。表示デバイスは、需要者に向けて部品装着情報、部品特定情報等、バイクのカスタマイズに関する情報を表示する液晶ディスプレイ等の装置である。入力デバイスは、需要者の入力操作により部品の発注情報等を入力するためのタッチパネル等の装置である。通信装置は、ネットワーク９９を介して取引仲介サーバ１０と相互に通信する装置であり、例えばＴＣＰ／ＩＰ等のプロトコルを利用して通信することができる。通信装置は、有線／無線電話通信網を介してネットワーク９９にアクセスしてもよい。
【００２０】
需要者は、需要者端末２１を操作して、取引仲介サービスを提供するネットワーク９９上のＥＣサイトにアクセスしてバイクのカスタマイズに関する情報、すなわち部品装着情報を閲覧し、これに基づいて部品装着情報に対応付けて公開される部品特定情報により特定されるカスタム用の部品を発注することができる。
【００２１】
提供者端末２２は、実際にバイクをカスタマイズした愛好家（ここでは、情報提供者と呼ぶ）が使用するスマートフォン、タブレットコンピュータ等のモバイル端末或いはパーソナルコンピュータ等のコンピュータ端末である。提供者端末２２は、需要者端末２１と同様に構成されてよい。提供者端末２２はネットワーク９９に通信可能に接続され、情報提供者はこれを用いてバイクのカスタマイズに関する情報、例えばカスタム用の部品がバイクに装着された際の外観上の状態に関する情報を含む部品装着情報及びカスタム用の部品を特定する部品特定情報をＥＣサイトに投稿する。
【００２２】
ここで、外観上の状態に関する情報は、一例として、カスタム用の部品が装着されたバイクの外観状態を表す写真、動画等であってよい。部品特定情報は、部品名称、メーカ名、シリアル番号等を含んでよい。さらに、部品特定情報は、部品が装着されるバイクを特定する情報、例えばバイクの名称、メーカ名、製造年（年式或いは型式）等を含んでよい。さらに、その部品のバイクへの装着方法の説明を含んでよい。このように部品を特定する多種の情報を部品特定情報に含めることで、部品特定情報及び供給部品情報に基づいて、その供給部品を供給する部品供給者を部品装着情報により正確に紐付けることが可能となる。
【００２３】
また、情報提供者は、提供者端末２２により、質問投稿者からの質問に対して回答を提供することもできる。回答は、例えば、カスタム用の部品をどうバイクに装着したのかという質問に対する装着方法の詳細であってよい。
【００２４】
投稿者端末２３は、取引仲介サービスを提供するネットワーク９９上のＥＣサイトにアクセスしてバイクのカスタマイズについて質問を投稿する質問投稿者が使用するスマートフォン、タブレットコンピュータ等のモバイル端末或いはパーソナルコンピュータ等のコンピュータ端末である。投稿者端末２３は、需要者端末２１と同様に構成されてよい。投稿者端末２３はネットワーク９９に通信可能に接続され、質問投稿者はこれを用いてＥＣサイトにアクセスしてバイクのカスタマイズに関する情報を閲覧し、部品装着情報及び部品特定情報の少なくとも一方に基づいて情報提供者に対して質問を投稿することができる。ここで、情報提供者に対する質問は、バイクのカスタマイズの詳細、例えばそのカスタム用の部品をどうバイクに装着したのかという質問であってよい。
【００２５】
なお、本実施形態に係る取引仲介システム１では、各１つの需要者端末２１、提供者端末２２、及び投稿者端末２３を備えることとしたが、複数の需要者が取引仲介システム１による取引仲介サービスを利用して取り引きできるよう、複数の情報提供者がバイクのカスタマイズに関する情報を投稿できるよう、又は複数の質問投稿者が情報提供者にバイクのカスタマイズについて質問できるよう、ネットワーク９９に通信可能に接続する複数の需要者端末２１、複数の提供者端末２２、又は複数の投稿者端末２３を備えることとしてもよい。
【００２６】
なお、本実施形態に係る取引仲介システム１を利用してカスタム用の部品を購入した需要者は、その部品を用いて自己の所有するバイクをカスタマイズする際に質問投稿者として質問を投稿することもでき、カスタマイズした際には情報提供者としてカスタマイズの詳細を投稿し、質問に回答することもできる。したがって、需要者端末２１、提供者端末２２、及び投稿者端末２３は、取引仲介サービスにおけるユーザの役割（需要者、情報提供者、質問投稿者）に応じて別のいずれかの端末として役割を果たすこともできる。
【００２７】
供給者端末２４は、カスタム用の部品を供給する部品供給者が使用するスマートフォン、タブレットコンピュータ等のモバイル端末或いはパーソナルコンピュータ等のコンピュータ端末である。供給者端末２４は、需要者端末２１と同様に構成されてよい。供給者端末２４はネットワーク９９に通信可能に接続され、部品供給者は自己が市場に供給することのできる部品を特定する供給部品情報を取引仲介サーバ１０に送信することができる。
【００２８】
ここで、供給部品情報は、部品特定情報と同様に、部品名称、メーカ名、シリアル番号等を含んでよく、また提供価格及び送料も含んでよい。さらに、供給部品情報は、供給可能な部品が装着可能なバイクを特定する情報、例えばバイクの名称、メーカ名、製造年（年式或いは型式）等を含んでよい。また、在庫の有無を含んでもよい。このように供給部品を特定する多種の情報を供給部品情報に含めることで、部品特定情報及び供給部品情報に基づいて、その供給部品を供給する部品供給者を部品装着情報により正確に紐付けることが可能となる。
【００２９】
図２に、取引仲介サーバ１０の機能構成を示す。取引仲介サーバ１０は、受信部１１、情報処理部１２、公開部１３、発注部１４、及び要求部１５を含む。
【００３０】
受信部１１は、ネットワーク９９上の各端末から各種情報を受信して、情報記憶部１９に記録する機能部である。受信部１１は、例えば、情報提供者が使用する提供者端末２２から、カスタム用の部品がバイクに装着された際の外観上の状態に関する情報を含む部品装着情報及び部品を特定する部品特定情報を受信して、これらをセットにして情報記憶部１９に記録する。なお、受信部１１は、１又は複数の提供者端末２２（すなわち、１又は複数の情報提供者）から複数のカスタム用の部品についての部品装着情報及び部品特定情報を受信して、それぞれセットにして情報記憶部１９に記録してもよい。
【００３１】
また、受信部１１は、部品供給者が使用する供給者端末２４から、部品供給者が供給可能な供給部品を特定する供給部品情報を受信して情報記憶部１９に記録する。なお、受信部１１は、１又は複数の供給者端末２４（すなわち、１又は複数の部品供給者）から、それぞれが供給可能な複数の供給部品を特定する供給部品情報を受信して、情報記憶部１９に記録してよい。
【００３２】
また、受信部１１は、質問投稿者が使用する投稿者端末２３から部品装着情報及び部品特定情報の少なくとも一方に基づいて質問投稿者が投稿する情報提供者に対する質問を受信し、その質問を部品装着情報に含めて情報記憶部１９に記録する。また、受信部１１は、情報提供者が使用する提供者端末２２から質問に対して情報提供者が提供する回答を受信し、その回答を部品装着情報に含めて情報記憶部１９に記録する。後述するように質問及び回答を部品装着情報に含めることで、部品装着情報がより充実し、需要者が部品装着情報に基づいてその部品の購入をより詳細に検討することが可能となる。
【００３３】
情報処理部１２は、部品特定情報及び供給部品情報に基づいて部品供給者を部品装着情報に紐付ける機能部である。情報処理部１２は、情報記憶部１９に記憶された部品装着情報及び部品特定情報の１以上のセットを読み出し、情報記憶部１９に記憶された１種以上の供給部品情報を読み出し、部品特定情報及び供給部品情報を対比して部品特定情報により特定される部品及び供給部品情報により特定される供給部品が一致する場合に、部品特定情報とセットで記録された部品装着情報にその供給部品を供給する部品供給者を対応付ける（すなわち、紐付ける）。
【００３４】
なお、１つの部品装着情報に複数の部品供給者を紐付けてよい。斯かる場合、情報処理部１２は、例えば、供給部品情報に含まれる供給価格に基づいて、価格の低い順或いは高い順に複数の部品供給者をランキング付けして部品装着情報に紐付けてよい。これにより、需要者は、部品装着情報に含まれる価格ランキングに基づいて部品を注文する部品供給者を選択することができる。
【００３５】
公開部１３は、部品装着情報及びこれに対応付けて部品特定情報をＥＣサイトに掲載してネットワーク９９上に公開する機能部である。部品装着情報を公開することで、ネットワーク９９上のユーザ（特に、需要者及び質問投稿者）がＥＣサイトにアクセスしてバイクのカスタマイズに関する情報、すなわち部品装着情報を閲覧することが可能となる。また、部品装着情報に対応付けて部品特定情報をさらに公開することで、ネットワーク９９上のユーザ（特に、需要者）がＥＣサイトにアクセスしてカスタム用の部品を特定することが可能となる。
【００３６】
発注部１４は、需要者が使用する需要者端末２１から、部品特定情報により特定される部品の発注を受信し、供給者端末２４に発注を送信する機能部である。ここで、発注部１４は、需要者から部品の発注を受信することに応じて、部品装着情報を提供した情報提供者に対して対価を決定してよい。対価の決定は、部品の供給価格、発注数等に基づいてよい。この対価は、例えば、情報提供者が需要者としてＥＣサイトで部品を購入する際に金銭の代わりに使用することのできるポイント、クーポン等であってよい。それにより、多くのユーザからの部品装着情報の提供を喚起することができる。また、発注部１４は、部品特定情報の内容に応じて対価を決定してもよい。例えば、部品特定情報に含まれる多くの情報が提供される場合に、対価を高く決定してよい。それにより、より内容の充実した部品特定情報の提供を喚起することができる。
【００３７】
要求部１５は、部品装着情報及び部品特定情報の少なくとも一方に含まれるカスタム用の部品を特定し、リクエストを供給者端末２４に送信して、部品供給者にその部品の供給を要求する機能部である。要求部１５は、情報記憶部１９に記憶された部品装着情報及び部品特定情報の１以上のセットを読み出し、それらに基づいて使用されたカスタム用の部品を特定してもよい。斯かる場合に、部品装着情報に含まれる写真、動画等を画像認識してこれに含まれるカスタム用の部品を特定してもよい。また、質問投稿者が投稿した質問及びこれに対する情報提供者が投稿した回答に基づいてカスタム用の部品を特定してもよい。質問及び回答の数に基づいて、例えば質問及び回答が多い又は回答の内容が高く評価されているカスタム用の部品を特定してもよい。
【００３８】
なお、リクエストを複数の供給者端末２４に送信して、複数の部品供給者にその部品の供給を要求してもよい。需要が期待されるカスタム用の部品の供給を需要が生じるに先立って部品供給者に要求することで、取引を促進することができる。
【００３９】
図３に、取引仲介システムにより提供される取引仲介サービスの実行フロー、すなわち部品装着情報の公開フローを示す。
【００４０】
まず、ステップＳ１０２にて、情報提供者Ａ（すなわち、実際にバイクをカスタマイズした愛好家）が、提供者端末２２を用いて、バイクのカスタマイズに関する情報、例えばカスタム用の部品が装着されたバイクの外観状態を表す写真、動画等の外観上の状態に関する情報を含む部品装着情報及びカスタム用の部品を特定する部品特定情報を取引仲介サーバ１０に送信する、つまりＥＣサイトに投稿する。ここで、情報提供者Ａは、さらに、カスタム用の部品をバイクにどう装着したのか等の装着方法の詳細を含めて、部品特定情報をＥＣサイトに投稿してもよい。
【００４１】
次に、ステップＳ１０４にて、取引仲介サーバ１０（受信部１１）は、提供者端末２２（すなわち、情報提供者Ａ）から部品装着情報及び部品特定情報を受信し、これらをセットにして情報記憶部１９に記録する。なお、取引仲介サーバ１０は、１又は複数の提供者端末２２から複数のカスタム用の部品についての部品装着情報及び部品特定情報を受信して、それぞれセットにして情報記憶部１９に記録してもよい。
【００４２】
取引仲介サーバ１０（公開部１３）は、例えば図４に示すように、情報記憶部１９に記録された部品装着情報３１及びこれに対応付けて部品特定情報３２をＥＣサイト上に公開する。この例では、ＥＣサイト上に、オフロードタイプのバイクにカスタム用のフェンダが装着された写真（部品装着情報３１の一例）、これに対応して情報提供者Ａの氏名、装着された部品の名称「フェンダ」、メーカ名、シリアル番号、及び装着方法（部品特定情報３２の一例）が掲載されている。
【００４３】
次に、ステップＳ１０６にて、質問投稿者Ｂ（すなわち、ＥＣサイトを利用するユーザの１人）が、投稿者端末２３を用いて、ＥＣサイトにアクセスして情報提供者Ａが投稿したバイクのカスタマイズに関する情報を閲覧し、部品装着情報３１及び部品特定情報３２に基づいて情報提供者Ａに対する質問、例えば、フェンダをどうバイクに装着したのかという質問を取引仲介サーバ１０に送信する、つまりＥＣサイトに投稿する。
【００４４】
次に、ステップＳ１０８にて、取引仲介サーバ１０（受信部１１）は、投稿者端末２３（すなわち、質問投稿者Ｂ）から情報提供者Ａによるカスタマイズに関する質問を受信し、その質問を対応する部品特定情報３２（部品装着情報３１でもよい）に含めて情報記憶部１９に記録する。
【００４５】
取引仲介サーバ１０（公開部１３）は、例えば図５（部品特定情報３２のみを示す）に示すように、情報記憶部１９に記録された部品装着情報３１及びこれに対応付けて部品特定情報３２をＥＣサイト上に公開する。この例では、図４の例に示された部品特定情報３２に、質問投稿者Ｂが投稿したカスタマイズに関する質問が追加されている。なお、取引仲介サーバ１０は、質問投稿者Ｂが投稿した質問を提供者端末２２（すなわち、情報提供者Ａ）に送信してもよい。
【００４６】
次に、ステップＳ１１０にて、情報提供者Ａが、提供者端末２２を用いて、ＥＣサイトにアクセスして質問投稿者Ｂの質問を閲覧し、それに対する回答を取引仲介サーバ１０に送信する、つまりＥＣサイトに投稿する。
【００４７】
次に、ステップＳ１１２にて、取引仲介サーバ１０（受信部１１）は、提供者端末２２（すなわち、情報提供者Ａ）から質問投稿者Ｂの質問に対する回答を受信し、その回答を対応する部品特定情報３２（部品装着情報３１でもよい）に含めて情報記憶部１９に記録する。
【００４８】
取引仲介サーバ１０（公開部１３）は、例えば図６（部品特定情報３２のみを示す）に示すように、情報記憶部１９に記録された部品装着情報３１及びこれに対応付けて部品特定情報３２をＥＣサイト上に公開する。この例では、図５の例に示された部品特定情報３２に、情報提供者Ａが投稿した質問投稿者Ｂの質問に対する回答が追加されている。なお、取引仲介サーバ１０は、情報提供者Ａが投稿した回答を投稿者端末２３（すなわち、質問投稿者Ｂ）に送信してもよい。
【００４９】
なお、取引仲介サーバ１０は、複数の投稿者端末２３（すなわち、複数の質問投稿者）から投稿される情報提供者に対する質問を受信し、部品特定情報３２（部品装着情報３１でもよい）に含めて情報記憶部１９に記録するとともにこれをＥＣサイトに公開してもよいし、提供者端末２２（すなわち、情報提供者Ａ）から各質問に対する回答を受信し、部品特定情報３２（部品装着情報３１でもよい）に含めて情報記憶部１９に記録するとともにこれをＥＣサイトに公開してもよい。
【００５０】
次に、ステップＳ１１４にて、部品装着情報３１及び部品特定情報３２の少なくとも一方に含まれるカスタム用の部品を特定し、リクエストを供給者端末２４に送信して、部品供給者Ｃ（すなわち、ＥＣサイトを利用するユーザの１人）にその部品の供給に係る情報の提供を要求する。取引仲介サーバ１０（情報処理部１２或いは要求部１５）は、情報記憶部１９に記憶された部品装着情報３１及び部品特定情報３２の１以上のセットを読み出し、それらに基づいて使用されたカスタム用の部品を特定する。取引仲介サーバ１０は、部品装着情報３１に含まれるカスタム用の部品が装着されたバイクの外観状態を表す写真、動画等を画像認識して、これに含まれるカスタム用の部品を特定してよい。例えば、図４に示されるバイクの写真からフェンダがカスタム用の部品として特定される。また、取引仲介サーバ１０は、部品特定情報３２からカスタム用の部品を特定してよい。
【００５１】
取引仲介サーバ１０（要求部１５）は、供給者端末２４（すなわち、部品供給者Ｃ）に、特定されたカスタム用の部品（本例ではフェンダ）の供給に係る情報の提供を要求するリクエストを送信する。このように需要が期待されるカスタム用の部品の供給を需要が生じるに先立って部品供給者Ｃに要求することで、取引を促進することができる。なお、取引仲介サーバ１０は、リクエストを複数の供給者端末２４に送信して、複数の部品供給者にその部品の供給に係る情報の提供を要求してもよい。
【００５２】
なお、ステップＳ１０６からＳ１１２は、必ずしも実行しなくてよい。
【００５３】
次に、ステップＳ１１６にて、部品供給者Ｃは、供給者端末２４を用いて、自己の市場に供給可能なカスタム用の部品を特定する供給部品情報を取引仲介サーバ１０に送信する。本例では、部品供給者Ｃは、部品名称であるフェンダ、そのメーカ名、シリアル番号、提供価格及び送料、納期、そのフェンダが装着可能なバイクを特定する情報、例えばバイクの名称、メーカ名、製造年（年式或いは型式）等を送信することができる。
【００５４】
次に、ステップＳ１１８にて、取引仲介サーバ１０（受信部１１）は、供給者端末２４（すなわち、部品供給者Ｃ）から、部品供給者Ｃが供給可能な供給部品を特定する供給部品情報を受信して、情報記憶部１９に記録する。
【００５５】
次に、ステップＳ１２０にて、取引仲介サーバ１０（情報処理部１２）は、部品特定情報３２及び供給部品情報に基づいて部品供給者Ｃを部品装着情報３１に紐付ける。取引仲介サーバ１０は、情報記憶部１９に記憶された部品装着情報３１及び部品特定情報３２の１以上のセットを読み出し、情報記憶部１９に記憶された１種以上の供給部品情報を読み出す。取引仲介サーバ１０は、部品特定情報３２及び供給部品情報を対比して部品特定情報により特定される部品及び供給部品情報により特定される供給部品が一致する場合に、部品特定情報３２とセットで記録された部品装着情報３１にその供給部品を供給する部品供給者Ｃを対応付ける（すなわち、紐付ける）。
【００５６】
取引仲介サーバ１０は、さらに、供給部品情報に含まれる供給価格に基づいて、価格の低い順或いは高い順に複数の部品供給者をランキング付けして部品装着情報３１に紐付ける。これにより、需要者は、部品装着情報３１に含まれる価格ランキングに基づいて部品を注文する部品供給者を選択することができる。
【００５７】
最後に、ステップＳ１２２にて、取引仲介サーバ１０（公開部１３）は、例えば図７（部品特定情報３２のみを示す）に示すように、情報記憶部１９に記録された部品装着情報３１及びこれに対応付けて部品特定情報３２をＥＣサイトに掲載してネットワーク９９上に公開する。この例では、図６の例に示された部品特定情報３２に、複数の部品供給者の供給価格の価格ランキング（低い順）が追加されている。これにより、ネットワーク９９上のユーザ（特に、需要者）がＥＣサイトにアクセスしてバイクのカスタマイズに関する情報、すなわち部品装着情報３１を閲覧することが可能となる。また、部品装着情報３１に対応付けて部品特定情報３２をさらに公開することで、需要者がＥＣサイトにアクセスしてカスタム用の部品を特定することが可能となる。
【００５８】
図８に、取引仲介システム１により提供される取引仲介サービスの実行フロー、すなわち部品の発注のフローを示す。
【００５９】
需要者は、需要者端末２１を用いて、取引仲介サーバ１０がネットワーク９９上で運営するＥＣサイトにアクセスしてバイクのカスタマイズに関する情報を、すなわち部品装着情報３１を閲覧し、これに基づいてその部品の購入を検討する。例えば、図９に示すように、ＥＣサイトではバイクのタイプ、オンロード（ネイキッド、ストリートファイタ等）、オフロード（デュアルパーパス、アドベンチャ等）が表示される。需要者が好みのタイプ、例えばオフロードを選択すると、例えば図１０に示すように車種の選択項目、バイクの名称、メーカ名、製造年（年式或いは型式）等が表示される。需要者が車種を選択すると、例えば図１１に示すように、情報記憶部１９に記録されている部品装着情報３１、これに対応する部品特定情報３２、及び部品装着情報３１に紐付けられた部品供給者のリスト（本例では価格ランキング）が表示される。
【００６０】
なお、部品装着情報３１及び部品特定情報３２の複数のセットが情報記憶部１９に記録されている場合、図１２に示すようにそれらのすべてが表示されてもよい。この例では、オフロードタイプのバイクに関する部品装着情報３１に対してフェンダに関する部品特定情報３２、ミラーに関する部品特定情報３３、シートに関する部品特定情報３４が表示されている。或いは、複数の部品特定情報３２〜３４を選択する項目が表示されてもよい。
【００６１】
需要者が、部品装着情報３１及びこれに対応付けて公開される部品特定情報３２（又は部品特定情報３２〜３４）に基づいて、いずれかの部品供給者が供給するカスタム用の部品の購入を決定すると、ステップ２０２にて、需要者端末２１を用いて、取引仲介サーバ１０に発注を送信する。例えば、図１１の部品装着情報３１及び部品特定情報３２を表示する画面において、価格ランキング１位、すなわち最安値でフェンダを提供する部品供給者Ｘを選択することで、部品供給者Ｘにフェンダを発注することができる。ここで送信される発注には、少なくとも購入するカスタム用の部品及び発注対象の部品供給者Ｘが含まれる。さらに、納期、送付先、決済方法（クレジットカード番号等）を含んでもよい。
【００６２】
次に、ステップＳ２０４にて、取引仲介サーバ１０（発注部１４）は、需要者端末２１から送信された発注を受信し、これを発注対象の部品供給者Ｘが使用する供給者端末２４に転送する。これにより、部品供給者Ｘは、発注に従って注文されたカスタム用の部品を需要者に発送するとともに、代金を請求することができる。なお、需要者は、対価を有している場合、これを用いて代金を支払うこともできる。
【００６３】
最後に、ステップＳ２０６にて、取引仲介サーバ１０（発注部１４）は、需要者端末２１（すなわち、需要者）から部品装着情報３１に基づくカスタム用の部品の発注を受信することに応じて、部品装着情報３１を提供した情報提供者に対する対価を決定する。対価の決定は、部品の供給価格、発注数等に基づいてよい。それにより、多くのユーザからの部品装着情報３１の提供を喚起することができる。また、発注部１４は、部品特定情報３２の内容に応じて対価を決定してもよい。また、発注部１４は、質問投稿者の質問に対する情報提供者の回答の内容に応じて対価を決定してもよい。それにより、より内容の充実した部品特定情報３２の提供を喚起することができる。
【００６４】
本実施形態に斯かる取引仲介サーバ１０は、情報提供者が使用する提供者端末２２から、カスタム用の部品がバイクに装着された際の外観上の状態に関する情報を含む部品装着情報及び部品を特定する部品特定情報を受信して情報記憶部１９に記録するとともに、部品供給者が使用する供給者端末２４から、部品供給者が供給可能な供給部品を特定する供給部品情報を受信して情報記憶部１９に記録する受信部１１、部品特定情報及び供給部品情報に基づいて部品供給者を部品装着情報に紐付ける情報処理部１２、少なくとも部品装着情報を公開する公開部１３を備える。情報提供者が提供者端末２２から提供する部品装着情報を公開することにより、需要者が部品装着情報に基づいてその部品の購入を検討することができ、また部品装着情報に部品供給者が紐付けられていることで、需要者がその部品装着情報に基づいて部品の購入を決定した際に部品供給者に対して部品を発注することができる。
【００６５】
また、本実施形態に斯かる取引仲介システム１は、取引仲介サーバ１０、取引仲介サーバ１０に、部品装着情報及び部品特定情報を送信する提供者端末２２、取引仲介サーバ１０に、供給部品情報を送信する供給者端末２４を備える。これにより、需要者と供給者との間での取引を仲介する取引仲介サービスを提供することができる。
【００６６】
また、本実施形態に斯かる取引仲介方法は、情報提供者が使用する提供者端末２２から、カスタム用の部品がバイクに装着された際の外観上の状態に関する情報を含む部品装着情報及び部品を特定する部品特定情報を受信して情報記憶部１９に記録する段階、部品供給者が使用する供給者端末２４から、部品供給者が供給可能な供給部品を特定する供給部品情報を受信して情報記憶部１９に記録する段階、部品特定情報及び供給部品情報に基づいて部品供給者を部品装着情報に紐付ける段階、及び少なくとも部品装着情報を公開する段階を備える。情報提供者が提供者端末２２から提供する部品装着情報を公開することにより、需要者が部品装着情報に基づいてその部品の購入を検討することができ、また部品装着情報に部品供給者が紐付けられていることで、需要者がその部品装着情報に基づいて部品の購入を決定した際に部品供給者に対して部品を発注することができる。
【００６７】
また、本実施形態に斯かるプログラムは、コンピュータに、情報提供者が使用する提供者端末２２から、カスタム用の部品がバイクに装着された際の外観上の状態に関する情報を含む部品装着情報及び部品を特定する部品特定情報を受信して情報記憶部１９に記録する手順、部品供給者が使用する供給者端末２４から、部品供給者が供給可能な供給部品を特定する供給部品情報を受信して情報記憶部１９に記録する手順、部品特定情報及び供給部品情報に基づいて部品供給者を部品装着情報に紐付ける手順、及び少なくとも部品装着情報を公開する手順を実行させる。情報提供者が提供者端末２２から提供する部品装着情報を公開することにより、需要者が部品装着情報に基づいてその部品の購入を検討することができ、また部品装着情報に部品供給者が紐付けられていることで、需要者がその部品装着情報に基づいて部品の購入を決定した際に部品供給者に対して部品を発注することができる。
【００６８】
また、本実施形態に斯かる記憶媒体は、上記のプログラムを格納する。
【００６９】
本発明の様々な実施形態は、フローチャートおよびブロック図を参照して記載されてよく、ここにおいてブロックは、（１）操作が実行されるプロセスの段階または（２）操作を実行する役割を持つ装置のセクションを表わしてよい。特定の段階およびセクションが、専用回路、コンピュータ可読媒体上に格納されるコンピュータ可読命令と共に供給されるプログラマブル回路、および／またはコンピュータ可読媒体上に格納されるコンピュータ可読命令と共に供給されるプロセッサによって実装されてよい。専用回路は、デジタルおよび／またはアナログハードウェア回路を含んでよく、集積回路（ＩＣ）および／またはディスクリート回路を含んでよい。プログラマブル回路は、論理ＡＮＤ、論理ＯＲ、論理ＸＯＲ、論理ＮＡＮＤ、論理ＮＯＲ、および他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【００７０】
コンピュータ可読媒体は、適切なデバイスによって実行される命令を格納可能な任意の有形なデバイスを含んでよく、その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（ＲＴＭ）ディスク、メモリスティック、集積回路カード等が含まれてよい。
【００７１】
コンピュータ可読命令は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、および「Ｃ」プログラミング言語または同様のプログラミング言語のような従来の手続型プログラミング言語を含む、１または複数のプログラミング言語の任意の組み合わせで記述されたソースコードまたはオブジェクトコードのいずれかを含んでよい。
【００７２】
コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供され、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００７３】
図１３は、本発明の複数の態様が全体的または部分的に具現化されてよいコンピュータ２２００の例を示す。コンピュータ２２００にインストールされたプログラムは、コンピュータ２２００に、本発明の実施形態に係る装置に関連付けられる操作または当該装置の１または複数のセクションとして機能させることができ、または当該操作または当該１または複数のセクションを実行させることができ、および／またはコンピュータ２２００に、本発明の実施形態に係るプロセスまたは当該プロセスの段階を実行させることができる。そのようなプログラムは、コンピュータ２２００に、本明細書に記載のフローチャートおよびブロック図のブロックのうちのいくつかまたはすべてに関連付けられた特定の操作を実行させるべく、ＣＰＵ２２１２によって実行されてよい。
【００７４】
本実施形態によるコンピュータ２２００は、ＣＰＵ２２１２、ＲＡＭ２２１４、グラフィックコントローラ２２１６、およびディスプレイデバイス２２１８を含み、それらはホストコントローラ２２１０によって相互に接続されている。コンピュータ２２００はまた、通信インタフェース２２２２、ハードディスクドライブ２２２４、ＤＶＤ−ＲＯＭドライブ２２２６、およびＩＣカードドライブのような入／出力ユニットを含み、それらは入／出力コントローラ２２２０を介してホストコントローラ２２１０に接続されている。コンピュータはまた、ＲＯＭ２２３０およびキーボード２２４２のようなレガシの入／出力ユニットを含み、それらは入／出力チップ２２４０を介して入／出力コントローラ２２２０に接続されている。
【００７５】
ＣＰＵ２２１２は、ＲＯＭ２２３０およびＲＡＭ２２１４内に格納されたプログラムに従い動作し、それにより各ユニットを制御する。グラフィックコントローラ２２１６は、ＲＡＭ２２１４内に提供されるフレームバッファ等またはそれ自体の中にＣＰＵ２２１２によって生成されたイメージデータを取得し、イメージデータがディスプレイデバイス２２１８上に表示されるようにする。
【００７６】
通信インタフェース２２２２は、ネットワークを介して他の電子デバイスと通信する。ハードディスクドライブ２２２４は、コンピュータ２２００内のＣＰＵ２２１２によって使用されるプログラムおよびデータを格納する。ＤＶＤ−ＲＯＭドライブ２２２６は、プログラムまたはデータをＤＶＤ−ＲＯＭ２２０１から読み取り、ハードディスクドライブ２２２４にＲＡＭ２２１４を介してプログラムまたはデータを提供する。ＩＣカードドライブは、プログラムおよびデータをＩＣカードから読み取り、および／またはプログラムおよびデータをＩＣカードに書き込む。
【００７７】
ＲＯＭ２２３０はその中に、アクティブ化時にコンピュータ２２００によって実行されるブートプログラム等、および／またはコンピュータ２２００のハードウェアに依存するプログラムを格納する。入／出力チップ２２４０はまた、様々な入／出力ユニットをパラレルポート、シリアルポート、キーボードポート、マウスポート等を介して、入／出力コントローラ２２２０に接続してよい。
【００７８】
プログラムが、ＤＶＤ−ＲＯＭ２２０１またはＩＣカードのようなコンピュータ可読媒体によって提供される。プログラムは、コンピュータ可読媒体から読み取られ、コンピュータ可読媒体の例でもあるハードディスクドライブ２２２４、ＲＡＭ２２１４、またはＲＯＭ２２３０にインストールされ、ＣＰＵ２２１２によって実行される。これらのプログラム内に記述される情報処理は、コンピュータ２２００に読み取られ、プログラムと、上記様々なタイプのハードウェアリソースとの間の連携をもたらす。装置または方法が、コンピュータ２２００の使用に従い情報の操作または処理を実現することによって構成されてよい。
【００７９】
例えば、通信がコンピュータ２２００および外部デバイス間で実行される場合、ＣＰＵ２２１２は、ＲＡＭ２２１４にロードされた通信プログラムを実行し、通信プログラムに記述された処理に基づいて、通信インタフェース２２２２に対し、通信処理を命令してよい。通信インタフェース２２２２は、ＣＰＵ２２１２の制御下、ＲＡＭ２２１４、ハードディスクドライブ２２２４、ＤＶＤ−ＲＯＭ２２０１、またはＩＣカードのような記録媒体内に提供される送信バッファ処理領域に格納された送信データを読み取り、読み取られた送信データをネットワークに送信し、またはネットワークから受信された受信データを記録媒体上に提供される受信バッファ処理領域等に書き込む。
【００８０】
また、ＣＰＵ２２１２は、ハードディスクドライブ２２２４、ＤＶＤ−ＲＯＭドライブ２２２６（ＤＶＤ−ＲＯＭ２２０１）、ＩＣカード等のような外部記録媒体に格納されたファイルまたはデータベースの全部または必要な部分がＲＡＭ２２１４に読み取られるようにし、ＲＡＭ２２１４上のデータに対し様々なタイプの処理を実行してよい。ＣＰＵ２２１２は次に、処理されたデータを外部記録媒体にライトバックする。
【００８１】
様々なタイプのプログラム、データ、テーブル、およびデータベースのような様々なタイプの情報が記録媒体に格納され、情報処理を受けてよい。ＣＰＵ２２１２は、ＲＡＭ２２１４から読み取られたデータに対し、本開示の随所に記載され、プログラムの命令シーケンスによって指定される様々なタイプの操作、情報処理、条件判断、条件分岐、無条件分岐、情報の検索／置換等を含む、様々なタイプの処理を実行してよく、結果をＲＡＭ２２１４に対しライトバックする。また、ＣＰＵ２２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ２２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００８２】
上で説明したプログラムまたはソフトウェアモジュールは、コンピュータ２２００上またはコンピュータ２２００近傍のコンピュータ可読媒体に格納されてよい。また、専用通信ネットワークまたはインターネットに接続されたサーバーシステム内に提供されるハードディスクまたはＲＡＭのような記録媒体が、コンピュータ可読媒体として使用可能であり、それによりプログラムを、ネットワークを介してコンピュータ２２００に提供する。
【００８３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８５】
１…取引仲介システム、１０…取引仲介サーバ、１１…受信部、１２…情報処理部、１３…公開部、１４…発注部、１５…要求部、１９…情報記憶部、２１…需要者端末、２２…提供者端末、２３…投稿者端末、２４…供給者端末、３１…部品装着情報、３２〜３４…部品特定情報、９９…ネットワーク、２２００…コンピュータ、２２０１…ＤＶＤ−ＲＯＭ、２２１０…ホストコントローラ、２２１４…ＲＡＭ、２２１６…グラフィックコントローラ、２２１８…ディスプレイデバイス、２２２０…入／出力コントローラ、２２２２…通信インタフェース、２２２４…ハードディスクドライブ、２２２６…ＤＶＤ−ＲＯＭドライブ、２２４０…入／出力チップ、２２４２…キーボード。
【図１】
2020166451.tif 000003
【図２】
2020166451.tif 000004
【図３】
2020166451.tif 000005
【図４】
2020166451.tif 000006
【図５】
2020166451.tif 000007
【図６】
2020166451.tif 000008
【図７】
2020166451.tif 000009
【図８】
2020166451.tif 000010
【図９】
2020166451.tif 000011
【図１０】
2020166451.tif 000012
【図１１】
2020166451.tif 000013
【図１２】
2020166451.tif 000014
【図１３】
2020166451.tif 000015